(57)【特許請求の範囲】
【請求項１】
連写モードと単写モードとを選択可能な電子カメラに於いて、
被写体像を撮像して画像データを出力する撮像素子と、
上記撮像素子への露光量を制御するシャッタと、
被写体輝度に応じて露出秒時を算出し、上記シャッタを開いてこの露出秒時の画像データを上記撮像素子から取込む第１露光動作と、上記シャッタを閉じて補正データを上記撮像素子から取込む第２露光動作と、を実行可能な制御回路と、
上記第２露光動作で取込まれた補正データに基づいて上記第１露光動作で取込まれた画像データを補正する補正動作を行う補正回路と、
を有し、
上記単写モードが選択され、この単写モードに於ける撮影が行われると、上記第１露光動作と第２露光動作とを同一の露出秒時で実行後、上記補正動作を実行し、
上記連写モードが選択され、この連写モードに於ける連続撮影が行われると、複数回の上記第１露光動作に対して１回のみ上記第２露光動作を実行し、この複数回の上記第１露光動作で得られた各々の画像データに対して上記補正動作を行うに際して、各画像データの露出秒時と上記第２露光動作で補正データを得る際の露出秒時との比に応じて補正データを変換する
ことを特徴とする電子カメラ。
【請求項２】
上記電子カメラは、上記連写モードが選択され、この連写モードに於ける連続撮影が行われると、上記第１露光動作を複数回終了後に上記第２露光動作を１回行うことを特徴とする請求項１に記載の電子カメラ。
【請求項３】
上記電子カメラは、上記連写モードが選択され、この連写モードに於ける連続撮影が行われると、上記第２露光動作を１回終了後に上記第１露光動作を複数回行うことを特徴とする請求項１に記載の電子カメラ。
【発明の詳細な説明】
【０００１】
【発明の属する技術分野】
この発明は、撮像素子により被写体像を取込む電子カメラに関し、より詳細には固体撮像素子を用いた電子カメラに於ける固定パターンノイズを除去した電子カメラに関するものである。
【０００２】
【従来の技術】
従来、例えば特開平８−５１５７１号公報に記載されているように、電子的撮像装置は、撮像素子と撮像素子への被写体光の透光遮光を制御する露出制御用シャッタを有している。この電子的撮像装置では、シャッタの透光状態で撮像素子から画像データの読出し後、撮像素子の固定パターンノイズ（Ｆｉｘｅｄ  Ｐａｔｔｅｒｎ  Ｎｏｉｓｅ；ＦＰＮ）を測定するために、シャッタの遮光状態で撮像素子から画像データの読出しが行われる。そして、この２つの画像データから、固定パターンノイズを含まない画像データが生成されるようになっている。
【０００３】
【発明が解決しようとする課題】
ところで、固定パターンノイズは、撮像素子の露光時間と温度により変化するため、画像データから完全に固定パターンノイズを除去するためには、固定パターンノイズのデータを撮影毎に測定することが望ましい。
【０００４】
しかしながら、このように撮影ごとに固定パターンノイズを測定するためには、１回の撮影動作に於いて撮像素子に対して２回の電荷蓄積動作を行わせるため、単純に考えれば２倍の積分時間を必要とする。
【０００５】
また、近年、デジタルカメラに対する画質向上のため、撮像素子の画素数がますます増える方向にある。そして、画素数の増加は、撮像素子からの画像データの読出し時間の増大につながる。したがって、固定パターンノイズのデータを毎回測定するならば、読出し時間も２倍となってしまう。
【０００６】
これら積分時間や読出し時間の増加は、カメラの動作シーケンス上では、レリーズタイムラグの増大や、連続撮影速度の低下となってしまうものであった。
この発明は、上記課題に鑑みてなされたものであり、積分時間や読出し時間の増加によるレリーズタイムラグの増大や、連続撮影速度の低下を防止して、画像データから固定パターンノイズの除去を正しく実行可能な電子カメラを提供することを目的とする。
【０００７】
【課題を解決するための手段】
すなわちこの発明は、連写モードと単写モードとを選択可能な電子カメラに於いて、被写体像を撮像して画像データを出力する撮像素子と、上記撮像素子への露光量を制御するシャッタと、被写体輝度に応じて露出秒時を算出し、上記シャッタを開いてこの露出秒時の画像データを上記撮像素子から取込む第１露光動作と、上記シャッタを閉じて補正データを上記撮像素子から取込む第２露光動作と、を実行可能な制御回路と、上記第２露光動作で取込まれた補正データに基づいて上記第１露光動作で取込まれた画像データを補正する補正動作を行う補正回路と、を有し、上記単写モードが選択され、この単写モードに於ける撮影が行われると、上記第１露光動作と第２露光動作とを同一の露出秒時で実行後、上記補正動作を実行し、上記連写モードが選択され、この連写モードに於ける連続撮影が行われると、複数回の上記第１露光動作に対して１回のみ上記第２露光動作を実行し、この複数回の上記第１露光動作で得られた各々の画像データに対して上記補正動作を行うに際して、各画像データの露出秒時と上記第２露光動作で補正データを得る際の露出秒時との比に応じて補正データを変換することを特徴とする。
【０００９】
この発明の連写モードと単写モードとを選択可能な電子カメラに於いては、撮像素子によって被写体像が撮像されて画像データが出力され、上記撮像素子への露光量はシャッタで制御される。そして、被写体輝度に応じて露出秒時を算出し、上記シャッタを開いてこの露出秒時の画像データを上記撮像素子から取込む第１露光動作と、上記シャッタを閉じて補正データを上記撮像素子から取込む第２露光動作と、が制御回路によって実行可能となる。また、補正回路では、上記第２露光動作で取込まれた補正データに基づいて上記第１露光動作で取込まれた画像データを補正する補正動作が行われる。そして、上記単写モードが選択され、この単写モードに於ける撮影が行われると、上記第１露光動作と第２露光動作とを同一の露出秒時で実行後、上記補正動作が実行され、上記連写モードが選択され、この連写モードに於ける連続撮影が行われると、複数回の上記第１露光動作に対して１回のみ上記第２露光動作が実行され、この複数回の上記第１露光動作で得られた各々の画像データに対して上記補正動作が行われるに際して、各画像データの露出秒時と上記第２露光動作で補正データを得る際の露出秒時との比に応じて補正データが変換される。
【００１１】
【発明の実施の形態】
以下、図面を参照してこの発明の実施の形態を説明する。
図１は、この発明の第１の実施の形態の構成を示すもので、電子撮像カメラのブロック構成図である。
【００１２】
図１に於いて、図示されない被写体像からの撮影光束が、撮影レンズ１及び光量を調節するための露出手段である絞り２を介して、図示矢印方向に回動可能なクイックリターンミラー３に導かれる。クイックリターンミラー３の中央部はハーフミラーになっており、該クイックリターンミラー３のダウン時に一部の光束が透過する。そして、この透過した光束は、クイックリターンミラー３に設置されたサブミラー４で反射され、ＡＦセンサ５に導かれる。
【００１３】
一方、クイックリターンミラー３で反射された撮影光束は、ペンタプリズム６、接眼レンズ７を介して撮影者の目に至る。
また、クイックリターンミラー３のアップ時には、上記撮影レンズ１からの光束は、フィルタ９、機械シャッタであるフォーカルプレーンシャッタ１０を介して撮像素子としてのＣＣＤ等に代表されるイメージセンサ１１に至る。上記フィルタ９は２つの機能を有しているもので、１つは赤外線をカットし可視光線のみをイメージセンサ１１へ導く機能であり、もう１つは光学ローパスフィルタとしての機能である。また、フォーカルプレーンシャッタ１０は、先幕及び後幕を有して成るもので、撮影レンズ１からの光束を透過、遮断を制御する遮光手段である。
【００１４】
尚、クイックリターンミラー３のアップ時には、サブミラー４は折り畳まれる。
システムコントローラ１５はＣＰＵにより構成されているもので、電子撮像カメラ全体の制御を行う制御手段、及び第１、第２の読出し手段である。そして、このシステムコントローラ１５には、撮影レンズ１を光軸方向に移動してピント合わせを行うためのレンズ駆動機構１６と、絞り２を駆動するための絞り駆動機構１７と、クイックリターンミラー３のアップダウンの駆動を行うためのミラー駆動機構１８と、シャッタチャージ機構１９と、フォーカルプレーンシャッタ１０の先幕、後幕の走行を制御するためのシャッタ制御回路２０と、イメージセンサ１１の近傍に設置された温度センサ２１と、接眼レンズ７の近傍に設置された測光センサ２２と、システムを制御する上で調整が必要なパラメータが記憶されているＥＥＰＲＯＭ２３とが接続されている。
【００１５】
上記測光センサ２２は、図示されない被写体の輝度を測定するためのセンサであり、この出力はシステムコントローラ１５へ供給される。
また、上記温度センサ２１は、イメージセンサ１１の温度を検出するための測温手段である。温度センサ２１の出力は、イメージセンサ１１の発生する固定パターンノイズを補正する時に必要となる。温度センサとしては、温度に応じて抵抗が変化するサーミスタが代表的である。理想的には、イメージセンサであるＣＣＤのチップ上に温度センサが存在すると良い。ＰＮ接合に発生する順方向電圧は温度に応じて変化するので、この電圧変化を検出しても良い。
【００１６】
上記システムコントローラ１５は、上記レンズ駆動機構１６を制御することにより、被写体像をイメージセンサ１１上へ結像できる。また、システムコントローラ１５は、設定されたＡｖ値に基いて、絞り２を駆動する絞り駆動機構１７を制御し、更に、設定されたＴｖ値に基いて、上記シャッタ制御回路２０へ制御信号を出力する。
【００１７】
上記フォーカルプレーンシャッタ１０の先幕、後幕は、駆動源がバネにより構成されており、シャッタ走行後が次の動作のためにバネチャージが必要である。シャッタチャージ機構１９は、そのバネチャージのために設けられている。
【００１８】
また、上記システムコントローラ１５には、画像データコントローラ２５が接続されている。この画像データコントローラ２５は、ＤＳＰ（デジタル信号プロセッサ）により構成される画像補正手段であり、イメージセンサ１１の制御、該イメージセンサ１１から入力された画像データの補正や加工等をシステムコントローラ１５の指令に基いて実行するものである。
【００１９】
また、上記画像データコントローラ２５には、イメージセンサ１１を駆動する時に必要なパルス信号を出力するタイミングパルス発生回路２７と、イメージセンサ１１と共にタイミングパルス発生回路２７で発生されたタイミングパルスを受けて、イメージセンサ１１から出力される被写体像に対応したアナログ信号をデジタル信号に変換するためのＡ／Ｄコンバータ２８と、得られた画像データ（デジタルデータ）を一時的に記憶しておくＤＲＡＭ２９と、Ｄ／Ａコンバータ３０及び画像圧縮回路３３とが接続されている。
【００２０】
上記ＤＲＡＭ２９は、加工や所定のフォーマットへのデータ変換が行われる前の画像データを一時的に記憶するための記憶手段として使用される。更に、ＤＲＡＭ２９は着脱可能であり、ユーザは必要に応じて記憶容量を変更できるようになっている。
【００２１】
また、上記Ｄ／Ａコンバータ３０には、エンコーダ３１を介して画像表示回路３２が接続される。更に、画像圧縮回路３３には、画像データ記録メディア３４が接続される。
【００２２】
上記画像表示回路３２は、イメージセンサ１１で撮像された画像データを表示するための回路であり、一般にはカラーの液晶表示素子により構成される。画像データコントローラ２５は、ＤＲＡＭ２９上の画像データを、Ｄ／Ａコンバータ３０によりアナログ信号に変換してエンコーダ回路３１へ出力する。すると、エンコーダ回路３１では、画像表示回路３２を駆動する時に必要な映像信号（例えばＮＴＳＣ信号）に、Ｄ／Ａコンバータ３０の出力が変換される。
【００２３】
上記画像圧縮回路３４は、ＤＲＡＭ２９に記憶された画像データの圧縮や変換（例えばＪＰＥＧ）を行うための回路である。変換された画像データは、画像データ記録メディア３４へ格納される。この記録メディアとしては、ハードディスク、フラッシュメモリ、フロッピーディスク等が使用される。
【００２４】
更に、システムコントローラ１５には、カメラの動作モードの情報や露出情報（シャッタ秒時、絞り値等）の表示を行うための動作表示回路３６と、ユーザが所望の動作をこの電子撮像カメラに実行させるべく操作される多数のスイッチで構成される操作スイッチ（ＳＷ）３７が接続されている。
【００２５】
この操作スイッチ３７には、連写モードスイッチ、レリーズスイッチ、パワースイッチ、が含まれる。各スイッチの機能については後述する。
次に、図２及び図３のフローチャートを参照して、システムコントローラ１５のメインルーチンの動作について説明する。
【００２６】
図２及び図３は、システムコントローラ１５のメインルーチンの動作を説明するフローチャートである。
操作スイッチ３７の１つであるパワースイッチがオンされてシステムに電力が供給されると、システムコントローラ１５の動作が開始される。そして、ステップＳ１にてシステムの初期化が行われる。これは、システムコントローラ１５のＩ／Ｏポートの初期化、メモリの初期化等である。また、画像データコントローラ２５に対しても初期化の指令が出される。
【００２７】
次いで、ステップＳ２にて、画像データコントローラ２５に接続されているＤＲＡＭ２９の容量が検査される。このＤＲＡＭ２９には、連写モードに於いてユーザにより撮影された画像データが一時的に記憶される。装着されているＤＲＡＭの容量によって、連続して撮影が可能な駒数（Ｎlimit ）が決定される。
【００２８】
そして、ステップＳ３では測光動作が行われる。この測光動作は、先ず測光センサ２２から被写体の輝度データが入力される。次いで、輝度データとイメージセンサ１１の感度が考慮されて、シャッタ秒時（Ｔｓ）と絞りの設定値が演算される。
【００２９】
ステップＳ４では、動作表示回路３２へカメラの動作状態を示すデータ（シャッタ秒時、絞り値、移動モード等）が出力される。このステップＳ４の動作は、本メインルーチンの中で周期的に実行されるので、動作表示回路３２の表示部には、常に新しいカメラの動作状態が表示される。
【００３０】
次に、ステップＳ５に於いて、操作スイッチ３７の１つであるレリーズスイッチの状態が検出される。ここで、レリーズスイッチがオンならばステップＳ１０へ移行し、オフならばステップＳ６へ移行する。
【００３１】
ステップＳ６では、露光カウンタ（ＣＮＴexp ）のクリア（←“０”）と、露光禁止フラグのクリア（←“０”）が行われる。露光カウンタは、連写モード中の連続した撮影動作の回数を示す。連写モードに設定されていない時（単写モードの時）は、レリーズスイッチが１回押される毎に撮影動作が１回のみ許可される。この動作を成立させるために、露光禁止フラグが使用される。
【００３２】
続くステップＳ７では、操作スイッチの１つであるパワースイッチの状態が検出される。ここで、パワースイッチがオン状態ならば動作が続行されるため、上記ステップＳ３へ移行する。一方、パワースイッチがオフ状態であれば、ステップＳ９に移行して、システムダウンに必要な処理が実行されて、システムコントローラ１５の動作が停止される。
【００３３】
一方、ステップＳ１０では、操作スイッチの１つである連写モードスイッチの状態が検出される。このスイッチがオンであれば連写モードであるので、ステップＳステップＳ１８へ移行する。これに対し、連写モードスイッチがオフであれば単写モードであることを示すので、ステップＳ１１に移行する。
【００３４】
ＳステップＳ１１では、露光禁止フラグの状態が検出される。ここで、フラグが“１”ならば露光動作が終了してもユーザがレリーズスイッチを押した状態を保持していることになる。この場合は露光動作はできないので、上記ステップＳ３に移行する。
【００３５】
一担、ユーザがレリーズスイッチから手を放してオフになれば、上記ステップＳ６に於いてフラグはクリアされ、露光動作が可能になる。一方、上記フラグが“０”の場合は、ステップＳ１２へ移行して焦点調整動作が行われる。すなわち、ＡＦセンサ５より焦点のズレ量に関する情報が入力され、この情報に基いてレンズ駆動機構１６が制御される。
【００３６】
次に、ステップＳ１３にて、サブルーチン“露光動作”が実行される。この動作により、上記ステップＳ３で演算された露光条件（Ｔｓ）で画像データがイメージセンサ１１から取り込まれる。続いて、ステップＳ１４では、サブルーチン“ＦＰＮ（固定パターンノイズ）測定”が実行され、イメージセンサ１１のＦＰＮデータが取り込まれる。
【００３７】
ステップＳ１５では、画像データコントローラ２５に対して、画像データから固定パターンノイズが除去されるよう指示される。画像データコントローラ２５では、ＤＲＡＭ２９上の画像データからＦＰＮデータが減算されることで、固定パターンノイズが存在しない画像データが作成される。
【００３８】
そして、ステップＳ１６にて、画像データコントローラ２５に対して画像データ記録メディア３４へ上記作成された画像データが記録されるように指示される。画像データコントローラ２５では、画像データが画像圧縮回路３３により圧縮された後、画像データ記録メディア３４へ格納させる。
【００３９】
次いで、ステップＳ１７にて、露光禁止フラグがセット（←“１”）されて、連続して露光動作ができないようにされる。その後、上記ステップＳ３へ移行する。
【００４０】
一方、ステップＳ１８では、ＦＰＮ測定禁止フラグがクリア（←“０”）される。連写モードに於ける連続撮影動作中には、ＦＰＮ測定動作は１回のみ許可される。この動作を成立させるために、ＦＰＮ測定禁止フラグが使用される。このフラグは、ＦＰＮ測定後、セット（←“１”）される。
【００４１】
ステップＳ２０では、焦点調整動作が実行される。このステップＳ２０の動作は、上述したステップＳ１２と同じ動作であるので説明は省略する。次いで、ステップＳ２１では、サブルーチン“露光動作”が実行される。この動作により、演算された露光条件で画像データがイメージセンサ１１から取り込まれる。
【００４２】
ステップＳ２２では、露光カウンタ（ＣＮＴexp ）がインクリメント（＋１）される。続いて、ステップＳ２３では、イメージセンサ１１の露光時間（Ｔｓ）が、露光カウンタの値とアドレスとを対応させてシステムコントローラ１５のメモリへ記憶される。
ここで、ＴｓはＦＰＮデータに基いて画像データを補正する際に必要となる。下記表１は、Ｔｓを記憶したメモリマップの内容を示す一例である。
【００４３】
【表１】
0004187327.tif 000002
【００４４】
次に、ステップＳ２４に於いて、上記ＣＮＴexp とＮlimit が比較される。このＮlimit は、上記ステップＳ２に於いて設定された連続撮影可能な駒数である。上記ステップＳ２４にて、ＣＮＴexp とＮlimit が等しくなければ、ＤＲＡＭ２９上には画像データを格納できるエリアが残っていることを表している。したがって、この場合はステップＳ２５へ移行して、レリーズスイッチの状態が検出される。
【００４５】
ここで、レリーズスイッチがオンならば、連続して撮影動作が行われるため、ステップＳ１９へ移行する。そして、被写体の条件が変化しても問題がないようにするため、測光動作- （ステップＳ１９）と焦点調整動作（ステップＳ２０）が行われる。そして、露光動作（ステップＳ２１）後、ＣＮＴexp はインクリメントされる（ステップＳ２２）。そして、新しいＴｓが、システムコントローラ１５のメモリへ記憶される（ステップＳ２３）。
【００４６】
このように、露光動作が行われる毎にＣＮＴexp の値がインクリメントされ、ステップＳ２４に於いてＮlimit に達した時は、ステップＳ２６へ移行する。
このステップＳ２６では、動作表示回路３６が用いられて警告表示が行われる。その後、ステップＳ２７へ移行する。
【００４７】
上記ステップＳ２４に於いて、ＣＮＴexp とＮlimit が等しい時は、ＤＲＡＭ２９には画像データを記憶するエリアが存在していないことを表している。したがって、画像データは画像データ記録メディア３４へ移行され、ＤＲＡＭ２９上にエリアが確保されなければ露光動作は実行できない。そこで、ステップＳ２６の動作によって、ユーザに対して露光ができない旨を表す必要がある。
【００４８】
一方、ステップＳ２４に於いて、ＣＮＴexp がＮlimit に達する前にユーザによりレリーズスイッチがオフされた時は、この警告表示が行われることなく、ステップＳ２７へ移行する。
【００４９】
ステップＳ２７では、ＦＰＮ測定禁止フラグの状態が判定される。このフラグが“０”ならば、ＦＰＮデータの測定が行われていないことを表すので、ステップＳ２８へ移行する。一方、フラグが“１”ならば、ＤＲＡＭ２９上に存在するＦＰＮデータによって画像データの補正が行われれば良い。この場合は、ステップＳ３１へ移行する。
【００５０】
ステップＳ２８では、サブルーチン“ＦＰＮ測定”が実行される。このＦＰＮ測定動作について、これ以降は禁止するために、ステップＳ２９に於いてＦＰＮ禁止フラグがセット（←“０”）される。次いで、ステップＳ３０では、ＦＰＮ測定時の秒時（Ｔｓ）が、システムコントローラ１５のメモリへＴfpn として記憶される。このＴｓは、上記ステップＳ２８が実行される直前に実行された露光動作に於けるシャッタ秒時である。
【００５１】
一方、ステップＳ３１では、Ｔfpn と上記ステップＳ２３にて記憶されたＴｓが使用されて、ＦＰＮデータに対して変換動作が行われる。連写動作中も、ステップＳ１９に於いて測光動作が行われているため、撮影された画像データのそれぞれのシャッタ秒時は同一とは限らない。固定パターンノイズは、シャッタ秒時Ｔfpn の条件で測定されたデータのみが存在する。ＦＰＮデータは、シャッタ秒時に比例してその大きさが変化する。したがって、それぞれの画像データのシャッタ秒時に応じて変換する必要がある。
【００５２】
この動作が、ステップＳ３１で行われる。
ここで、説明を容易にするため、例えば下記表２に示されるように、ＤＲＡＭ２９には画像データが記録されているものとする。
【００５３】
【表２】
0004187327.tif 000003
【００５４】
ＤＲＡＭ２９の中は、１２個のエリアに分割されており、エリア０には、ＦＰＮデータが記録されている。また、エリア１〜エリア１０は、ＣＮＴexp の値に対応させて画像データが記録されている。更に、エリア１１は、画像データコントローラ２５が演算動作をなう時のワークエリアとして使用される。
【００５５】
ここで示された例では、Ｎlimit の値は“１０”であり、ＣＮＴexp の値が“１０”になったため、上記ステップＳ３１へ動作が移行したことになる。これは、ユーザによって連続して撮影動作が続けられたために、ＤＲＡＭ２９の画像記録エリアが全てデータで埋まり、空きがないことを表している。
【００５６】
したがって、ステップＳ３１では、画像データコントローラ２５に対してＦＰＮデータの変換演算が指示される。この時、システムコントローラ１５からは、固定パターンノイズを測定した時の秒時（Ｔfpn ）と現在のＣＮＴexp に対応するシャッタ秒時（Ｔｓ）が、画像データコントローラ２５に送られる。このシャッタ秒時は、ＣＮＴexp に対応させてシステムコントローラ１５のＲＡＭ上に、上記表１に示されるように記憶されている。
【００５７】
画像データコントローラ２５では、ＴｓとＴfpn が使用されてＦＰＮデータに対して以下の変換演算が行われる。
ＦＰＮｎ′＝ＦＰＮｎ×Ｔｓ／Ｔfpn
ＦＰＮｎ：変換前の１画素のノイズデータ（ｎ＝１，２，３，…）、
ＦＰＮｎ′：変換後の１画素のノイズデータ（ｎ＝１，２，３，…）
次に、ステップＳ３２では、画像データコントローラ２５に対して、画像データから固定パターンノイズの除去が指示される。画像データコントローラ２５では、変換後のＦＰＮデータに基いて、ＣＮＴexp に対応する画像データに補正が行われる。
【００５８】
ステップＳ３３では、画像データコントローラ２５に対して補正された画像データが、画像データ記録メディア３４へ転送されるように指示される。画像データコントローラ２５では、画像データが圧縮後、画像データ記録メディア３４へ転送される。そして、ＣＮＴexp が“１０”なので、ＤＲＡＭ２９のエリア１０が空にされる。
【００５９】
ステップＳ３４では、ＣＮＴexp がデクリメント（−１）される。この場合、ＣＮＴexp は“９”になる。次いで、ステップＳ３５では、ＥＥＰＲＯＭ２３からパラメータＮopenが読出される。そして、ステップＳ３６に於いて、Ｎlimit とＣＮＴexp の差（ＤＲＡＭ２９上の空きエリアを示している）とＮopenとが比較される。
【００６０】
ここで、差がＮopenより大きい場合はステップＳ３７へ移行し、差がＮopen未満ならばステップＳ３１へ移行する。Ｎopenは、“１以上”の値が設定されている。Ｎopenが変更されることにより、ＤＲＡＭ２９上の空きエリアの数が幾つになったら露光動作が許可されるべきか任意に設定可能である。Ｎopenに最小値の“１”が設定されれば、１駒分の画像データエリアが存在すれば露光動作は可能となり、ステップＳ３７へ移行する。
【００６１】
ＤＲＡＭ２９上の画像データエリアが完全に空になるまで露光動作を禁止したいのならば、ＮopenにＮlimit （上記表２の例ならば、“１０”）と同じ値が設定されれば良い。すると、ステップＳ３１〜Ｓ３３の動作が、エリアが全て空になるまで実行される。Ｎopenの適切な値は、ＤＲＡＭ２９の容量によっても異なり、一律に設定することは困難である。そこで、ＥＥＰＲＯＭ２３に記憶することとしている。このことにより、任意に設定が可能となり都合が良くなる。
【００６２】
一方、ステップＳ３７では、上記ステップＳ２６で開始された警告表示が終了され、ユーザに対して露光動作が可能であることが告知される。次いで、ステップＳ３８にて、レリーズスイッチの状態が検出される。ここで、レリーズスイッチがオンならば、露光動作が行われるためにステップＳ１９へ移行する。そして、ＤＲＡＭ２９のエリアに空の領域が無くなるか、若しくはリレーズスイッチがオフされるまで、露光動作（上記ステップＳ１９〜Ｓ２１）が行われる。
【００６３】
また、上記ステップＳ３８にて、レリーズスイッチがオフのためにステップＳ３９へ移行すると、ＣＮＴexp が“０”であるか否かが判定される。ここで、ＣＮＴexp が“０”でなければ、ＤＲＡＭ２９上には画像データが残っていることを表している。この場合、補正動作を続ける必要があるので、ステップＳ３１へ移行する。
【００６４】
ステップＳ３９に於いて、ＣＮＴexp が“０”ならば、ＤＲＡＭ２９上の画像データ全てに補正演算が行われ、データは全て画像データ記録メディア３４へ移動されたことを表す。この場合は、上記ステップＳ３へ移行する。
【００６５】
以上のように、同実施の形態では、連続撮影動作中にレリーズスイッチがオフにされた時、若しくはＤＲＡＭ２９に画像データが取り込まれるエリアがなくなった時に、ＦＰＮデータの測定動作（ステップＳ２８）が実行されるようにプログラムが構成されている。
【００６６】
しかしながら、固定パターンノイズの測定動作を連続撮影動作を開始する直前に行う方法も考えられる。この場合、以下のようにフローチャートを修正すれば良い。
【００６７】
すなわち、ステップＳ１８は削除し、このポイントにてステップＳ２８とＳステップＳ３０と同じ処理動作が行われるようにする。そして、ステップＳ２７〜Ｓ３０の処理動作は必要ないので削除する。
【００６８】
次に、図４のフローチャートを参照して、サブルーチン“露光動作”の処理について説明する。
ステップＳ４１では、算出された絞り値に基いて絞り駆動機構１７が制御される。次いで、ステップＳ４２にて、ミラー駆動機構１８が制御されて、クイックリターンミラー３がアップ位置へ駆動される。
【００６９】
そして、ステップＳ４３にて、シャッタ先幕スタート信号が、シャッタ制御回路２０へ出力される。ステップＳ４４では、シャッタ１０の秒時をカウントするためのタイマカウンタのカウント動作が開始される。次いで、ステップＳ４５にて、シャッタ１０の先幕の走行が終了するまで待機される。
【００７０】
その後、ステップＳ４６にて、画像データコントローラ２５に対して、イメージセンサ１１の積分動作が開始されるように指示が出される。そして、ステップＳ４７にて、タイマカウンタの値が算出されたシャッタの秒時（Ｔｓ）に達するまで待機される。ここで、タイマカウンタの値がＴｓになると、続くステップＳ４８にて、シャッタ１０の後幕の走行スタート信号がシャッタ制御回路２０へ出力される。
【００７１】
ステップＳ４９では、画像データコントローラ２５に対して、イメージセンサ１１の積分動作が終了するよう指示される。次いで、ステップＳ５０にて、後幕の走行が終了するまで待機される。
【００７２】
そして、ステップＳ５１及びＳ５２では、画像データコントローラ２５に対してＣＮＴexp に対応するＤＲＡＭ２９のエリアへ、画像データが取り込まれるように指示される。続くステップＳ５３では、ミラー駆動機構１８が制御されて、クイックリターンミラー３がダウン位置へ駆動される。
【００７３】
そして、ステップＳ５４にて、絞りが開放位置へ駆動される。次いで、ステップＳ５５にて、シャッタチャージ機構１９が制御されて、シャッタ１０の先幕と後幕を駆動するバネのチャージ動作が行われる。その後、メインルーチンへ復帰する。
【００７４】
次に、図５のフローチャートを参照して、サブルーチン“ＦＰＮ測定”の動作について説明する。
先ず、ステップＳ６１にて、画像データコントローラ２５に対して、イメージセンサ１１の積分動作の開始が指示される。次いで、ステップＳ６２では、測定時間（Ｔｓ）を測定するためのタイマカウンタのカウント動作が開始される。
【００７５】
そして、ステップＳ６３に於いて、タイマカウンタのカウント値がＴｓに達するまで待機される。次いで、ステップＳ６４では、画像データコントローラ２５に対して、イメージセンサ１１の積分の停止が指示される。
【００７６】
更に、ステップＳ６５では、画像データコントローラ２５により、イメージセンサ１１から画像データの読込みが指示される。本サブルーチンが実行される時、イメージセンサ１１は遮光されている。したがって、読込まれた画像データはＦＰＮデータである。このデータは、ＤＲＡＭ２９のエリア０へ記憶される。
【００７７】
その後、メインルーチンへ復帰する。
また、本サブルーチンでは、イメージセンサ１１の積分動作１回でＦＰＮのデータを決定しているが、複数回イメージセンサ１１の積分動作を行って画像データを取り込み、平均値を求めても良い。このようにすれば、より正確なＦＰＮデータを得ることができる。
【００７８】
尚、この発明の上記実施の形態によれば、以下の如き構成を得ることができる。
（１）  撮像素子と、
被写体光の撮像素子への透光と遮光を制御する遮光手段と、
この遮光手段の遮光状態にて上記撮像素子から画像データを読出す第１読出し手段と、
上記遮光手段の透光状態にて上記撮像素子から画像データを読出す第２読出し手段と、
上記第１読出し手段の画像データに基いて第２読出し手段の画像データに補正を行う画像補正手段と、
を具備し、
連続撮影モードと単発撮影モードとが選択可能であって、連続撮影モードが選択されているとき、複数回の第２読出し手段の動作に対して一回のみ第１読出し手段の作動を許可することを特徴とする電子カメラ。
【００７９】
【発明の効果】
以上のようにこの発明によれば、積分時間や読出し時間の増加によるレリーズタイムラグの増大や、連続撮影速度の低下を防止して、画像データから固定パターンノイズの除去を正しく実行可能な電子カメラを提供することができる。
【図面の簡単な説明】
【図１】この発明の第１の実施の形態の構成を示すもので、電子撮像カメラのブロック構成図である。
【図２】システムコントローラ１５のメインルーチンの動作を説明するフローチャートである。
【図３】システムコントローラ１５のメインルーチンの動作を説明するフローチャートである。
【図４】サブルーチン“露光動作”の処理について説明するフローチャートである。
【図５】サブルーチン“ＦＰＮ測定”の動作について説明するフローチャートである。
【符号の説明】
１  撮影レンズ、
２  絞り、
３  クイックリターンミラー、
５  ＡＦセンサ、
７  接眼レンズ、
９  フィルタ、
１０  フォーカルプレーンシャッタ、
１１  イメージセンサ、
１５  システムコントローラ（ＣＰＵ）、
１６  レンズ駆動機構、
１７  絞り駆動機構、
１８  ミラー駆動機構、
１９  シャッタチャージ機構、
２０  シャッタ制御回路、
２１  温度センサ、
２２  測光センサ、
２３  ＥＥＰＲＯＭ、
２５  画像データコントローラ（ＤＳＰ）、
２９  ＤＲＡＭ、
３２  画像表示回路、
３３  画像圧縮回路、
３４  画像データ記録メディア、
３６  動作表示回路、
３７  操作スイッチ（ＳＷ）。
【図１】
0004187327.tif 000004
【図２】
0004187327.tif 000005
【図３】
0004187327.tif 000006
【図４】
0004187327.tif 000007
【図５】
0004187327.tif 000008